(57)【特許請求の範囲】
【請求項１】
モニタ画面を備えた住戸インターホンとロビーインターホンとを備え、ネットワークに接続された集合住宅用インターホンシステムにおいて、
ネットワークを通じて受信した、属性情報が付加された生活情報を蓄積して住戸インターホンに配信する生活情報配信部と、
複数の生活情報から生活情報一覧を生成する一覧表生成部と、
予め準備された複数の表示ルールの内から、住戸毎の表示ルールとして所望のルールを選択させる表示ルール選択部と、
生活情報に付加された属性情報に基づいて、前記生活情報一覧に、前記表示ルール選択部で選択された表示ルールを適用して編集加工を施す一覧表加工部とを備え、
住戸インターホンは、編集加工後の生活情報一覧をモニタ画面に表示して、選択操作された生活情報の記事を個別表示することを特徴としたネットワーク対応型の集合住宅用インターホンシステム。
【請求項２】
請求項１に記載の集合住宅用インターホンシステムにおいて、
住戸インターホンとロビーインターホンとの呼出、通話を制御する一方、住戸インターホンを特定のサーバ装置に接続させる制御装置を更に備え、
前記生活情報配信部は、前記サーバ装置側に設けられ、
前記一覧表生成部、前記表示ルール選択部、前記一覧表加工部は、住戸インターホン側に設けられていることを特徴としたネットワーク対応型の集合住宅用インターホンシステム。
【請求項３】
請求項１に記載の集合住宅用インターホンシステムにおいて、
住戸インターホンとロビーインターホンとの呼出、通話を制御する一方、住戸インターホンを特定のサーバ装置に接続させる制御装置を更に備え、
前記生活情報配信部、前記一覧表生成部は、前記サーバ装置側に設けられ、
前記表示ルール選択部、前記一覧表加工部は、住戸インターホン側に設けられていることを特徴としたネットワーク対応型の集合住宅用インターホンシステム。
【請求項４】
請求項１に記載の集合住宅用インターホンシステムにおいて、
住戸インターホンとロビーインターホンとの呼出、通話を制御する一方、住戸インターホンを特定のサーバ装置に接続させる制御装置を更に備え、
前記生活情報配信部、前記一覧表生成部、前記一覧表加工部は、前記サーバ装置側に設けられ、
前記表示ルール選択部は、住戸インターホン側に設けられていることを特徴としたネットワーク対応型の集合住宅用インターホンシステム。
【請求項５】
請求項１〜４のいずれか１項に記載の集合住宅用インターホンシステムにおいて、
生活情報の記事は、画像ファイルとして構成されていることを特徴としたネットワーク対応型の集合住宅用インターホンシステム。
【発明の詳細な説明】
【技術分野】
【０００１】
本発明は、ネットワークを通じて投稿されてきた生活情報を住戸インターホンに表示させる機能を有した集合住宅用インターホンに関する。
【背景技術】
【０００２】
従来、マンションなどの集合住宅では、居住者に迅速、確実に連絡事項を通知することが求められるが、そのような場合に効果的な技術として、特許文献１には、電子回覧板情報を映像として、映像蓄積手段に蓄積させ、更にその映像信号を、各住戸のインターホンに対して送信させることを教示している。
【先行技術文献】
【特許文献】
【０００３】
【特許文献１】特許3657847号公報
【発明の概要】
【発明が解決しようとする課題】
【０００４】
しかしながら、特許文献１の構成では、電子回覧板などの到着をまずＬＥＤなどによって報知してから、住戸人が選択操作をすることにより、詳細な記事情報を表示するようになっているので操作が煩わしいという問題があった。そのため住戸人の中には、選択操作をせずにそのまま放置する者もあって、重要な情報を見逃してしまうこともあった。
【０００５】
そのような問題に対して、本発明は、住戸毎の表示ルールに従って生活情報一覧表を表示することにより、重要な生活情報が配信されてきたことが一目で判るようにした集合住宅用インターホンシステムを提供することを目的とする。
【課題を解決するための手段】
【０００６】
本発明による集合住宅用インターホンシステムは、モニタ画面を備えた住戸インターホンとロビーインターホンとを備え、ネットワークに接続された集合住宅用インターホンシステムにおいて、ネットワークを通じて受信した、属性情報が付加された生活情報を蓄積して住戸インターホンに配信する生活情報配信部と、複数の生活情報から生活情報一覧を生成する一覧表生成部と、予め準備された複数の表示ルールの内から、住戸毎の表示ルールとして所望のルールを選択させる表示ルール選択部と、生活情報に付加された属性情報に基づいて、前記生活情報一覧に、前記表示ルール選択部で選択された表示ルールを適用して編集加工を施す一覧表加工部とを備え、住戸インターホンは、編集加工後の生活情報一覧をモニタ画面に表示して、選択操作された生活情報の記事を個別表示することを特徴とする。
【０００７】
前記集合住宅用インターホンシステムは、住戸インターホンとロビーインターホンとの呼出、通話を制御する一方、住戸インターホンを特定のサーバ装置に接続させる制御装置を更に備え、前記生活情報配信部は、前記サーバ装置側に設けられ、前記一覧表生成部、前記表示ルール選択部、前記一覧表加工部は、住戸インターホン側に設けられていてもよい。
【０００８】
前記集合住宅用インターホンシステムは、住戸インターホンとロビーインターホンとの呼出、通話を制御する一方、住戸インターホンを特定のサーバ装置に接続させる制御装置を更に備え、前記生活情報配信部、前記一覧表生成部は、前記サーバ装置側に設けられ、前記表示ルール選択部、前記一覧表加工部は、住戸インターホン側に設けられていてもよい。
【０００９】
前記集合住宅用インターホンシステムは、住戸インターホンとロビーインターホンとの呼出、通話を制御する一方、住戸インターホンを特定のサーバ装置に接続させる制御装置を更に備え、前記生活情報配信部、前記一覧表生成部、前記一覧表加工部は、前記サーバ装置側に設けられ、前記表示ルール選択部は、住戸インターホン側に設けられていてもよい。
【００１０】
住戸インターホンは、新たな生活情報が配信されたことを報知する新着情報通知灯を更に備えてもよい。また生活情報の記事は、画像ファイルとして構成するとよい。
【発明の効果】
【００１１】
本発明による集合住宅用インターホンシステムでは、住戸インターホンに生活情報が配信されてくると、生活情報一覧を表示するが、その生活情報一覧は、住戸毎に予め選択した表示ルールに従って編集加工されたものなので、重要な、あるいは住戸人が関心を持っている情報が目立つように表示される。そのため、住戸人はその情報を見逃してしまうことがなく、確実な情報伝達ができる。
【図面の簡単な説明】
【００１２】
【図１】本発明を適用したインターホンシステムのブロック図である。
【図２】生活情報一覧表の表示例の説明図である。
【図３】表示ルールの選択画面の例を示す図である。
【図４】生活情報の個別表示の例を示す図である。
【図５】生活情報作成画面の例を示す図である。
【図６】本発明に係る基本動作を示したフロー図である。
【発明を実施するための形態】
【００１３】
本発明のインターホンシステム１は、図１に示すように、モニタ画面１１ｂを備えた複数の住戸インターホン１１とロビーインターホン１２とからなり、ネットワーク２０に接続された基本構成を有する。ネットワーク２０は、インターネットに代表される広域ネットワークを想定しているが、住棟及びその近隣施設のみに敷設されたＬＡＮであって構わない。
【００１４】
ここに住戸インターホン１１は、住宅情報盤として構成されており、ドアホン子器１１ａやセキュリティセンサ（図示なし）などが接続されている。そして基本的な構成要素として、図２に示しているように、タッチパネルで構成されたモニタ画面１１ｂ、メッセージランプ１１ｃ、通話キー１１ｄ、通話部を形成するスピーカ１１ｅ、マイク１１ｆなどを備えている。
【００１５】
ロビーインターホン１２は、呼出先の部屋番号を指定するための操作部や、通話部を構成するスピーカ、マイク（いずれも図示なし）などを備えている。なお、ロビーインターホン１２は、カードキーなどによって住戸人を認証するための認証端末としての機能を備えてもよい。その場合、図示しない認証装置による認証が成功すれば、ロビー扉の電気錠が自動的に解錠する。
【００１６】
管理人室機（警報監視盤）１３は、選択した住戸インターホン１１あるいはロビーインターホン１２との通話ができ、また住戸インターホン１１から発信された異常発生信号を受け付けて所定の対応処理をなす装置である。そして基本的な構成要素として、モニタ画面、通話部を構成するハンドセット、異常報知手段を構成する警報ランプ、スピーカ（いずれも図示なし）などを備えている。
【００１７】
制御装置１４は、住戸インターホン１１と、ロビーインターホン１２あるいは管理人室機１３との信号伝送を制御する装置であって、住戸インターホン１１、ロビーインターホン１２、管理人室機１３は、この装置に接続されている。更に制御装置１４は、住戸インターホン１１を、ネットワーク２０上の特定のサーバ装置２１に接続するゲートウェイ１４ａとしても機能する。
【００１８】
通信端末２２は、ネットワーク２０に接続可能なパソコンなどであって、管理人室や近隣の店舗などに設置される。そしてソフトウェアなどによって構成された生活情報作成部２２ａを備えており、操作によって所望の生活情報を作成してサーバ装置２１に投稿できる。
【００１９】
次いで、インターホンシステム１の基本動作を説明する。住戸インターホン１１と制御装置１４はインターホン回線によって接続されており、そこでは送信先、送信元のアドレスを指定した信号伝送が行われる。プロトコルは特に制限はないが、例えばＴＣＰ／ＩＰを用いてもよい。この場合、住戸インターホン１１のそれぞれには、固有のグローバルＩＰあるいはローカルＩＰが割り当てられる。また、制御装置１４とロビーインターホン１２あるいは管理人室機１３との信号伝送も、同様である。なおインターホン回線の信号線には、一般的なツイストペアケーブルを用いればよいが、専用ケーブルを用いてもよい。
【００２０】
インターホンシステム１における来客呼出・通話制御の基本機能、動作は従来システムと同様である。すなわちロビーインターホン１２で住戸番号を指定した呼出操作がなされると、制御装置１４によって、指定された住戸の住戸インターホン１１が呼び出される。呼出された住戸インターホン１１で通話キー１１ｄが操作されると、制御装置１４は、ロビーインターホン１２とその住戸インターホン１１との間に排他的な通話チャンネルを構成して、訪問者と住戸人との通話を許可する。その後、通話キー１１ｄが再操作されたとき、あるいは所定時間が経過したときに、その通話チャンネルは開放される。なお、ロビーインターホン１２は複数であってもよく、その場合でも、通話チャンネルは排他的に制御される。
【００２１】
更にインターホンシステム１がテレビ式であれば、ロビーインターホン１２で呼出操作がなされてから通話チャンネルが解放されるまでの間、ロビーインターホン１２側に設けられたビデオカメラ１２ａと、呼出先の住戸インターホン１１との間に排他的な映像チャンネルを構成する。このようにすれば、訪問者の映像を住戸インターホン１１でモニタしながら対応できる。
【００２２】
またインターホンシステム１は、集合住宅の警報監視システムとしても機能しており、その動作も従来と同様である。すなわち住戸インターホン１１は、セキュリティセンサが異常発生を検知すると、モニタ画面１１ｂに警報画面を表示すると共に、スピーカ１１ｅから警報メッセージを出力する。また、住戸インターホン１１は、異常発生を管理人室機１３に通知する。管理人室機１３は、その通知を受信すると、警報を出力する。その後、管理人の操作に応じて、異常発生を通知してきた住戸インターホン１１や、その近隣の住戸インターホン１１から、避難メッセージなどを出力させることもできる。また、防災センターなどに異常発生を移報することもできる。
【００２３】
本発明の特徴的な構成として、インターホンシステム１は、いわゆる生活情報、例えば住戸人を対象とした掲示板や住棟内あるいはその近隣にある商店などからの連絡、通知事項を、住戸インターホン１１を通じて住戸人に知らせることができるようになっている。
【００２４】
具体的には、通信端末２２からサーバ装置２１に投稿されてきた生活情報から生活情報一覧表Ｌを作成し、住戸毎に予め選択された表示ルールに基づいて、その生活情報一覧表Ｌに編集加工を施し、住戸インターホン１１では、その編集加工後の生活情報一覧表Ｌをモニタ画面１１ｂに表示して、個別表示すべき生活情報の選択操作を受け付ける。なおここでは、文字列によるリスト形式の生活情報一覧表Ｌを想定しているが、これに限定されず、アイコンによるグラフィカルな一覧表示であってもよい。表示ルールは、属性情報を判別する基準となる条件ないし規則などである。このように住戸毎に予め設定した表示ルールに従った生活情報一覧表Ｌが表示されれば、重要な、あるいは住戸人が関心を持っている情報が目立つため、その情報を見逃してしまうことがなく、確実な情報伝達ができる。
【００２５】
そのためインターホンシステム１は、図１に示しているように、ネットワーク２０を通じて投稿されてきた生活情報を蓄積して住戸インターホン１１に配信する生活情報配信部２１ａと、複数の生活情報から生活情報一覧表Ｌを生成する一覧表生成部１１ｇと、住戸毎に予め選択された表示ルールに基づいて、生活情報一覧表Ｌに編集加工を施す一覧表加工部１１ｈとを備えている。
【００２６】
つまり図１の構成では、サーバ装置２１に、通信端末２２から投稿されてきた生活情報を蓄積して住戸インターホン１１に配信する生活情報配信部２１ａを設け、住戸インターホン１１には、生活情報の一覧表生成部１１ｇと、一覧表加工部１１ｈとを設けている。
【００２７】
このような構成では、次のような基本動作をなす。すなわちサーバ装置２１は、通信端末２２から属性情報が付加された生活情報が投稿されてくると蓄積し、その生活情報の属性情報を住戸インターホン１１に配信する。住戸インターホン１１は、それまでに配信されてきた生活情報の属性情報自体、あるいはそれらの属性情報から生成した生活情報一覧表Ｌを保持しており、新たな属性情報が配信されてくると、それまで保持していた属性情報と、配信されてきた属性情報とから生活情報一覧表Ｌを作成し直す。あるいは配信されてきた属性情報を、保持していた生活情報一覧表Ｌに追記して更新する。そして更に、その生活情報一覧表Ｌに編集加工を施してから表示して、選択操作された生活情報の記事Ａを個別表示する。そのため編集加工が施された生活情報一覧表Ｌは、住戸毎に固有の表示態様となっている。
なお住戸インターホン１１には、新たな生活情報が配信されたことを報知する新着情報通知灯を更に備えていてもよく、その新着情報通知灯として、図２におけるメッセージランプ１１ｃを利用してもよい。このようにすれば、生活情報一覧表Ｌの表示を所定時間経過後に中断した後でも、その新着情報通知灯によって、新たな新着情報が配信されたことが判るので便利である。
【００２８】
また別構成として、サーバ装置２１に、生活情報配信部、一覧表生成部１１ｇを設け、住戸インターホン１１には、一覧表加工部１１ｈを設けてもよい。このような構成では、サーバ装置２１は、通信端末２２から生活情報が投稿されてくると、その生活情報を蓄積すると共に、生活情報一覧表Ｌを生成して、その生活情報一覧表Ｌを住戸インターホン１１に配信する。ここで生活情報一覧表Ｌは、全住戸で共通のものである。住戸インターホン１１は、その生活情報一覧表Ｌが配信されてくると、編集加工を施してから表示して、個別表示すべき生活情報の選択を受け付ける。
【００２９】
更に別構成として、サーバ装置２１に、生活情報配信部、一覧表生成部１１ｇ、一覧表加工部１１ｈを全て設けてもよい。このような構成では、住戸毎に生活情報一覧表Ｌの表示ルールをサーバ装置２１に登録しておく必要がある。この場合、サーバ装置２１は、通信端末２２から生活情報が投稿されてくると、その生活情報を蓄積すると共に、生活情報一覧表Ｌを作成して、更に、その生活情報一覧表Ｌに住戸毎の表示ルールに基づいた編集加工を施す。つまりサーバ装置２１によって、編集加工後の生活情報一覧表Ｌが住戸毎に準備され、その編集加工後の生活情報一覧表Ｌが住戸インターホン１１に配信されることになる。そのため、住戸インターホン１１は、編集加工が施された生活情報一覧表Ｌを直ちに表示することができる。このようにすれば、一覧表生成部１１ｇ、一覧表加工部１１ｈが複数の住戸インターホン１１によって共用されることになるので、コストが抑えられる。
【００３０】
また制御装置１４とサーバ装置２１とを一体として構成してもよいが、このような変形は、いずれも本発明の範囲に含まれる。
【００３１】
次いで本発明のインターホンシステム１における住戸インターホン１１の基本的な動作、機能について更に詳細に説明する。
【００３２】
住戸インターホン１１の一覧表生成部１１ｇは、サーバ装置２１から生活情報が配信されてくると、生活情報に付加されている属性情報の各項目を、生活情報毎に配信日時順に並べた生活情報一覧表Ｌを生成する。そして一覧表加工部１１ｈは、住戸毎に予め選択された表示ルールに従って、その生成された生活情報一覧表Ｌを編集加工する。
【００３３】
図２は、生活情報一覧表Ｌを表示した住戸インターホン１１の正面図である。上記のように住戸インターホン１１は、モニタ画面１１ｂ、メッセージランプ１１ｃ、通話キー１１ｄや、スピーカ１１ｅ、マイク１１ｆなどを備えており、モニタ画面１１ｂには、生活情報一覧表Ｌが表示されている。
【００３４】
ここに新着情報キーは、所望時に操作によって生活情報一覧表Ｌを呼び出すためのキー、掲示板キーは生活情報の中から掲示板カテゴリのものを抽出して一覧表示させるためのキー、地域キーは生活情報の中から地域カテゴリのものを抽出して一覧表示させるためのキーである。また再生キーはロビーインターホン１２に対する来客対応の際に録画した映像、録音した音声を再生させるためのキー、設定キーは各種設定する設定画面を呼び出すためのキーである。
【００３５】
生活情報一覧表Ｌは、複数の生活情報が、それぞれの属性情報に基づいてソートされ、リスト表示されたもので、画面上部には生活情報全体の受信件数が表示され、その下に、１件毎に、その着信日時、種別、表題がリスト表示されている。その下にある詳細キーは、生活情報の記事Ａを個別表示させるためのキーで、リスト表示から所望の生活情報を選択操作してから詳細キーを操作すれば、生活情報の記事Ａが個別に切替え表示される。削除キーは、生活情報を生活情報一覧表Ｌから削除するためのキーで、リスト表示から所望の生活情報を選択操作してから削除キーを操作すれば、その生活情報が生活情報一覧表Ｌから削除される。また閉じるキーは生活情報一覧表Ｌを閉じるためのキーである。
【００３６】
本発明は特に、住戸毎に予め選択された表示ルールに基づいて、生活情報一覧表Ｌに編集加工を施し、その編集加工後の生活一覧表を表示することを特徴としている。すなわち予め選択した表示ルールに従って、生活情報に付加される属性情報を判別して、一部の生活情報の欄のみを、他の生活情報の欄とは異なる態様で表示するように生活情報一覧表Ｌを編集加工し、編集加工後の生活情報一覧表Ｌを表示している。例えば生活情報一覧表Ｌの中で、種別が掲示板カテゴリとなっている生活情報の欄だけを、表示色を異ならせて、あるいは異なるフォントで表示するようにしてもよい。あるいは投稿者が管理人である生活情報が生活情報一覧表Ｌの最上部から並ぶようにソートしてもよい。
【００３７】
生活情報一覧表Ｌの表示ルールは、住戸インターホン１１の操作によって選択できることが望ましく、そのためには、住戸インターホン１１に表示ルール選択部１１ｉを設けておくとよい。具体的には、配信日時によるソートをデフォルトのルールとし、そのデフォルトのルール以外に、何通りかを予め用意しておき、表示ルール選択部１１ｉによって所望のルールを選択できるようにするとよい。
【００３８】
図３は、表示ルール選択部１１ｉによって表示された表示ルールの選択画面の例である。この画面は、図２に示した画面の下部に配置されている設定キーを操作することによって呼び出すことができる。画面には、予め用意された表示ルールの一部のみが表示されているが、右側の上、下矢印キーを操作すれば、隠れている他の表示ルールがスクロール表示される。それぞれの表示ルールの左側には選択用のラジオスイッチが配置されており、その操作によって表示ルールが排他的に選択できる。なお、画面下部の設定キーは、ラジオスイッチによる選択を登録設定するためのキー、キャンセルキーはこの画面を閉じるためのキーである。
【００３９】
図４は生活情報一覧表Ｌから詳細キーの操作によって切替え表示された生活情報の個別表示例である。この例では、記事Ａとして「２０１１．１．３１（月）は資源ゴミの収集日です。１１：００に収集します。  管理人」というメッセージと、ゴミ箱を表した図案が表示されている。生活情報として所望のメッセージや図案を表示させるには、種々の方法があるが、例えば記事Ａの全体を１つの画像データに予め変換しておくとよい。画像の大きさはモニタ画面１１ｂの表示枠の画素数が予め定められているならば、それに合わせた画像サイズとすることで、拡大縮小が不要になって、表示の仕組みも簡単になる。なお、記事Ａは、画像及び文字からなるホームページで構成してもよい。その場合は、住戸インターホン１１に内蔵されたブラウザによって記事Ａを表示すればよい。
【００４０】
図５は、生活情報の作成画面の例であり、通信端末２２ではこのような画面を表示して生活情報を作成する。作成画面には、タイトル、投稿者名称、有効期限、重要度の入力欄と、記事作成欄とが設けられている。タイトル、投稿者名称入力欄には所望の文字列が入力できる。有効期限、重要度の入力欄はプルダウン式になっており、複数の選択肢からいずれかを選択するようになっている。このタイトル、投稿者名称、有効期限、重要度が属性情報として生活情報に付加される。
【００４１】
属性情報は、表題、投稿者、種別に限られず、それ以外に任意の項目を含めてもよいが、項目名、項目数、フォーマットなどは、基本的に全ての生活情報の属性情報で共通となる。
【００４２】
記事作成欄は、自由に選択したフォントで文字列を配置し、更にイラストなども加えられるようになっているが、記事作成用のツールボックスなどは図からは省略している。なお、記事作成欄に併設して、所望の画像ファイルを記事Ａとして入力するためのファイル名入力欄が設けられ、記事作成とファイル入力のいずれかを選択するためのラジオスイッチも配置されている。ファイル入力の場合は、指定されたファイルがそのまま記事Ａになる。また画面の下部には、この画面を閉じるためのキャンセルキーと、生活情報を投稿するための投稿キーとが設けられている。記事作成欄によって記事Ａを作成した場合は、投稿キーを操作すると、記事Ａの全体が１つの画像ファイルに変換され、変換後の生活情報がサーバ装置２１に送信される。
【００４３】
図６は本発明によるインターホンシステム１の基本動作を示したフロー図である。
【００４４】
この図によれば、時刻Ｔ１では、通信端末２２で生活情報が作成され、それに属性情報が付加されて、サーバ装置２１に送信されている。時刻Ｔ２では、その生活情報がサーバ装置２１に蓄積され、通知信号として、その生活情報中の属性情報が制御装置１４を介して住戸インターホン１１に配信されている。
【００４５】
そして時刻Ｔ３では、住戸インターホン１１は一覧表生成部１１ｇによって、配信されてきた生活情報の属性情報から生活情報一覧表Ｌを作成して、一覧表加工部１１ｈによって、その生活情報一覧表Ｌに編集加工を施している。時刻Ｔ４では、その編集加工後の生活情報一覧表Ｌをモニタ画面１１ｂに表示して、個別表示すべき生活情報の選択を受け付けている。そして要求信号として、サーバ装置２１にその生活情報の記事Ａを要求し、時刻Ｔ５では返信されてきた生活情報の記事Ａを個別表示している。
【符号の説明】
【００４６】
１        インターホンシステム
１１      住戸インターホン
１１ｂ    モニタ画面
１１ｇ    一覧表生成部
１１ｈ    一覧表加工部
１２      ロビーインターホン
１４      制御装置
２０      ネットワーク
２１      サーバ装置
２１ａ    生活情報配信部
Ａ        生活情報の記事
Ｌ        生活情報一覧表
【図１】
0005681973.tif 000002
【図２】
0005681973.tif 000003
【図３】
0005681973.tif 000004
【図４】
0005681973.tif 000005
【図５】
0005681973.tif 000006
【図６】
0005681973.tif 000007